(57)【特許請求の範囲】
【請求項１】
対向する面にそれぞれ電極を有する一対の基板間に帯電粒子が封入され、この帯電粒子の移動によって表示を行うメモリ性を有する表示パネルと、表示データを入力して前記表示パネルの電極に駆動電圧を印加する駆動手段と、を備える表示装置であって、
前記駆動手段は、前記表示データを記憶する表示データ記憶部と、この表示データ記憶部の記憶情報に基づいて前記表示データの推移を検出する表示推移検出部と、この表示推移検出部からの情報に基づいて前記表示パネルへの駆動パルスを生成する駆動パルス発生部と、を備え、
前記表示データ記憶部は、現在表示中の現表示データと次に表示する次表示データを順次記憶し、
前記表示推移検出部は、前記記憶された現表示データと次表示データに基づいて表示データの推移を検出し分類する表示推移信号を出力し、
前記駆動パルス発生部は、前記表示推移信号を入力し、前記表示パネルの表示を書き換える表示書換信号に同期して前記現表示データと前記次表示データが異なるときは表示反転パルスを出力し、前記現表示データと前記次表示データが等しいときは上書きパルスを出力し、
かつ、前記駆動パルス発生部は、前記上書きパルスを出力する前に、前記上書きパルスの電圧極性と反対極性の前置反転パルスを出力し、
さらに、前記駆動手段は、前記上書きパルスを計数する上書きパルス計数部を備え、前記駆動パルス発生部は、前記上書きパルス計数部からの情報に基づいて前記表示反転パルスの出力後に補正パルスを出力することを特徴とする表示装置。
【請求項２】
前記駆動パルス発生部は、前記上書きパルスのパルス幅に前記上書きパルス計数部の計数値を乗じたパルス幅で、前記上書きパルスと反対極性である前記補正パルスを出力することを特徴とする請求項１に記載の表示装置。
【請求項３】
前記駆動パルス発生部は、前記上書きパルスのパルス幅と前記前置反転パルスのパルス幅の差に前記上書きパルス計数部の計数値を乗じたパルス幅で、前記上書きパルスと反対極性である補正パルスを出力することを特徴とする請求項１に記載の表示装置。
【請求項４】
前記表示パネルは、前記一対の基板の電極間に印加される電圧の極性に応じて前記帯電粒子が電気泳動により移動する電気泳動型表示パネルであって、
前記一対の基板のうち一方の基板の電極は複数のセグメント電極であり、他方の基板の電極は前記複数のセグメント電極と対向する一つの共通電極であり、前記駆動手段は、前記各セグメント電極毎に設けられることを特徴とする請求項１から３のいずれか一項に記載の表示装置。
【発明の詳細な説明】
【技術分野】
【０００１】
本発明は、帯電粒子の移動によって表示を行うメモリ性を有する表示パネルを備えた低消費電力の表示装置に関する。
【背景技術】
【０００２】
従来から薄型の表示装置としては、液晶表示装置が各種の電子機器に広く使用されており、近年ではコンピュータやテレビジョン等の大型カラーディスプレイとしても使用されるようになっている。また、テレビジョンの大型カラーディスプレイとしては、プラズマディスプレイも使用されている。しかし、液晶表示装置やプラズマディスプレイはＣＲＴ表示装置に比べれば格段に薄型になったとはいえ、まだ用途によっては充分に薄くはないし、曲げることは出来ない。また、携帯機器のディスプレイとして使用する場合には消費電力の更なる低減が望まれている。
【０００３】
そこで、更なる薄型化と低消費電力化を実現する表示装置として、電気泳動表示素子を用いた電子ペーパーとも称される表示パネルが開発され、電子ブックや電子新聞、電子広告看板や案内表示板などへの利用が試みられている。この電気泳動表示素子を用いた表示パネル（表示装置）は、対向する面にそれぞれ電極を有する一対の基板間に帯電粒子が封入された画像表示層を設け、その一対の基板の電極間に印加される電圧の極性に応じて帯電粒子が電気泳動により移動して表示を行うように構成されている。
【０００４】
この電気泳動型表示パネルは、電極間に印加される駆動電圧を取り去っても、帯電粒子が移動しないのでメモリ性を有しており、駆動電力が零でも表示状態を保つことが出来る。この表示状態が保たれる表示期間は、数秒から数時間、あるいは数ヶ月も継続する場合もある。このため、この電気泳動型表示パネルは、極めて僅かな電力で駆動することが出来るので、低消費電力を必要とする携帯機器などの表示装置として有望である。
【０００５】
しかしながら、この電気泳動型表示パネルは駆動電圧を印加して表示データを書き込み後、長時間、電圧無印加状態を続けると、表示層における帯電粒子に僅かながら自由な流動が生じ、白又は黒の表示濃度（すなわち光反射率）が変化して灰色に近づく傾向があり、表示のコントラストが次第に低下して視認性が悪くなるという問題がある。
【０００６】
ここで図１４は、この電気泳動型表示パネルの白表示及び黒表示における光反射率の変化の一例を示したグラフである。図１４において横軸は経過時間であり、縦軸は表示パネルの光反射率である。ここで、電気泳動型表示パネルのセグメント電極に負の電圧を印加して白表示（光反射率大）とし、また、他のセグメント電極に正の電圧を印加して黒表示（光反射率小）とし、その後、駆動電圧を零（すなわち電圧無印加状態）としてからの経過時間による光反射率の変化を測定した。
【０００７】
この図１４によって明らかなように、駆動電圧の印加直後は、たとえば、白表示の光反射率は４０％程度あるが、経過時間に沿って低下し、１０時間後の光反射率は３０％近くまで低下している。また、黒表示の光反射率は当初５％以下であるが、経過時間に沿って上昇し、１０時間後の光反射率は１０％近くまで上昇している。ここで、白表示と黒表示の光反射率の比がコントラストであるので、時間と共にコントラストが低下していることが理解できる。この経過時間によるコントラストの低下は、表示パネルの表示品質を著しく悪化させるものであるので、改善が強く求められている。
【０００８】
このような背景から、電気泳動型表示パネルにリフレッシュ周期毎にリフレッシュ信号
を印加する表示装置が開示されている（例えば特許文献１参照）。この特許文献１は、コントラストの低下による表示品位劣化時間より短く設定されているリフレッシュ周期毎に、表示信号と同極性のリフレッシュ信号を印加する表示装置である。これにより、コントラストの低下によって表示パターンの消失や表示パターンが消失しかけて表示品位が低下することを防ぐことが示されている。
【０００９】
また、メモリ性を有する表示パネルに、画像が表示されてからの経過時間が所定時間になったならば、画像情報に応じて再書き込みを行う表示装置が開示されている（例えば特許文献２参照）。この特許文献２は、経過時間を計測する計測手段を有し、画像が表示されてからの経過時間が所定時間になったならば、画像情報に応じて再書き込みを行う。また、再書き込みの前に交番電圧印加による初期化を行っている。これにより、画像を長時間表示させても、欠陥画素の発生を防ぎ、コントラストの低下を防ぐことが示されている。
【００１０】
【特許文献１】特開平３−２１３８２７号公報（第４頁、第１図）
【特許文献２】特開２００６−１１２１６号公報（第５頁、第１図）
【発明の開示】
【発明が解決しようとする課題】
【００１１】
しかしながら、特許文献１の表示装置は、表示品位劣化時間よりも短い時間内に表示信号と同極性のリフレッシュ信号を印加することが示されているが、図１４に示した如く、表示品位（すなわちコントラスト）は、経過時間に沿って徐々に悪くなるので、リフレッシュ信号を印加したときに、いきなり表示品位が良くなる（白はより白く、黒はより黒くなる）現象が生じる。このため、リフレッシュ信号が印加される度に表示状態の変化が目立ち、使用者に違和感や不快感を与えやすい問題がある。また、リフレッシュ信号は、表示信号と同極性の電圧を印加するので、直流電圧が印加されて表示パネルの劣化を早める問題がある。
【００１２】
また、特許文献２の表示装置は、所定時間ごとに画像を再書き込みするが、この場合も特許文献１と同様に、表示品位（すなわちコントラスト）は、経過時間に沿って徐々に悪くなるので、再書き込みをしたときに、いきなり表示品位が良くなる（白はより白く、黒はより黒くなる）現象が生じる。このため、所定時間毎に表示状態の変化が現れて、使用者に違和感や不快感を与えやすい。また、再書き込みする前に、基板に付着した粒子を離すため、交番電圧を印加する初期化駆動を行うが、交互に正負が逆転する電圧が印加されるので表示全体が一瞬だが白と黒が切り替わる状態となり、ちらつきが生じて目障りである。
【００１３】
本発明の目的は上記課題を解決し、帯電粒子の移動によって表示を行うメモリ性を有する表示パネルを備えた表示装置において、長時間の表示によるコントラストの低下を防ぎ、また、表示の濃淡ムラを低減して表示品質を良好に保つことが出来る表示装置を提供することである。
【課題を解決するための手段】
【００１４】
上記課題を解決するために、本発明の表示装置は、下記記載の構成を採用する。
【００１５】
本発明の表示装置は、対向する面にそれぞれ電極を有する一対の基板間に帯電粒子が封入され、この帯電粒子の移動によって表示を行うメモリ性を有する表示パネルと、表示データを入力して表示パネルの電極に駆動電圧を印加する駆動手段と、を備える表示装置で
あって、駆動手段は、表示データを記憶する表示データ記憶部と、この表示データ記憶部の記憶情報に基づいて表示データの推移を検出する表示推移検出部と、この表示推移検出部からの情報に基づいて表示パネルへの駆動パルスを生成する駆動パルス発生部と、を備え、駆動パルス発生部は、表示推移検出部より表示データが変化した情報を得たときには表示を書き換える表示反転パルスを出力し、表示データが変化しない情報を得たときには表示を上書きする上書きパルスを出力することを特徴とする。
【００１６】
これにより、表示パネルは、表示データが変化しないときに上書きパルスが印加されるので、長時間、表示内容が変化しない表示部分があっても、上書きパルスが印加されることによってコントラストが低下することを防ぎ、また、表示の濃淡ムラを低減して表示品質が常に良好な表示装置を提供することが出来る。
【００１７】
また、表示データ記憶部は、現在表示中の現表示データと次に表示する次表示データを順次記憶し、表示推移検出部は、記憶された現表示データと次表示データに基づいて表示データの推移を検出し分類する表示推移信号を出力し、駆動パルス発生部は表示推移信号を入力し、表示パネルの表示を書き換える表示書換信号に同期して現表示データと次表示データが異なるときは表示反転パルスを出力し、現表示データと次表示データが等しいときは上書きパルスを出力することを特徴とする。
【００１８】
これにより、上書きパルスは表示書換信号に同期して、表示内容が書き換えられる表示部分の書き換え動作に合わせて印加されるので、表示内容が変化しない表示部分の上書き動作を確実に行うことが出来、白又は黒の濃度変化が少なく、表示の濃淡ムラが低減された見栄えの良好な表示装置を提供することが出来る。
【００１９】
また、駆動パルス発生部は、上書きパルスを出力する前に、上書きパルスの電圧極性と反対極性の前置反転パルスを出力することを特徴とする。
【００２０】
これにより、前置反転パルスの出力後に上書きパルスを出力するので、上書きパルスによって表示パネルに直流電圧の印加が僅かずつ積算されることを低減し、表示パネルの劣化を防いで信頼性に優れた表示装置を実現することが出来る。
【００２１】
また、駆動手段は、上書きパルスを計数する上書きパルス計数部を備え、駆動パルス発生部は、上書きパルス計数部からの情報に基づいて表示反転パルスの出力後に補正パルスを出力することを特徴とする。
【００２２】
これにより、表示パネルは上書きパルスによって直流電圧が印加されるが、補正パルスによって交流化駆動が行われるので、直流電圧の印加がキャンセルされて表示パネルの劣化を低減し、信頼性に優れた表示装置を実現することが出来る。
【００２３】
また、上書きパルスの電圧極性は、表示パネルの表示状態の濃淡を強くする方向の電圧極性であり、そのパルス幅は、表示反転パルスのパルス幅の３％〜２０％以内であることを特徴とする。
【００２４】
これにより、表示パネルには、表示状態の濃淡を強くする方向の上書きパルスが適切なパルス幅で印加されるので、長時間、表示内容が変化しない表示部分があったとしても、表示状態が灰色化してコントラストが低下することを防ぎ、また、表示の濃淡ムラを低減して表示品質が常に良好な表示装置を提供することが出来る。
【００２５】
また、前置反転パルスのパルス幅は上書きパルスのパルス幅の１／２以下であることを特徴とする。
【００２６】
これにより、前置反転パルスによって表示パネルに直流電圧の印加が僅かずつ積算されることを低減し、表示パネルの劣化を防いで信頼性に優れた表示装置を実現することが出来る。また、前置反転パルスのパルス幅は上書きパルスの１／２以下と短いので、上書きパルスが有効に機能して、表示パネルに長時間、表示内容が変化しない表示部分があったとしても、表示のコントラストが低下することを防ぎ、また、表示の濃淡ムラを低減して表示品質が常に良好な表示装置を提供することが出来る。
【００２７】
また、前置反転パルスのパルス幅は上書きパルスのパルス幅に略等しいことを特徴とする。
【００２８】
これにより、上書きパルスのパルス幅に等しい前置反転パルスが印加されるので、表示パネルは交流化駆動が行われ、表示パネルの劣化を低減して信頼性に優れた表示装置を実現することが出来る。
【００２９】
また、駆動パルス発生部は、上書きパルスのパルス幅に上書きパルス計数部の計数値を乗じたパルス幅で、上書きパルスと反対極性である補正パルスを出力することを特徴とする。
【００３０】
これにより、表示パネルは上書きパルスによって直流電圧の印加が僅かずつ積算されるが、補正パルスによって正確に補正されて直流分がキャンセルされ交流化駆動が行われるので、表示パネルの劣化を低減して長寿命で信頼性に優れた表示装置を実現することが出来る。
【００３１】
また駆動パルス発生部は、上書きパルスが前置反転パルスの出力後に出力される場合、上書きパルスのパルス幅と前置反転パルスのパルス幅の差に上書きパルス計数部の計数値を乗じたパルス幅で、上書きパルスと反対極性である補正パルスを出力することを特徴とする。
【００３２】
これにより、表示パネルは上書きパルスと前置反転パルスの差による直流電圧の印加が僅かずつ積算されるが、補正パルスによって正確に補正されて直流分がキャンセルされ交流化駆動が行われるので、表示パネルの劣化を低減して長寿命で信頼性に優れた表示装置を実現することが出来る。
【００３３】
また、表示パネルは、一対の基板の電極間に印加される電圧の極性に応じて帯電粒子が電気泳動により移動する電気泳動型表示パネルであって、一対の基板のうち一方の基板の電極は複数のセグメント電極であり、他方の基板の電極は複数のセグメント電極と対向する一つの共通電極であり、駆動手段は、各セグメント電極毎に設けられることを特徴とする。
【００３４】
これにより、電気泳動型表示パネルのセグメント電極毎に駆動手段が設けられるので、長時間、表示内容が変化しないセグメントがあったとしても、それぞれのセグメントに対応した駆動電圧が印加されることによって、各セグメントのコントラストが低下することを防ぎ、表示の濃淡ムラを低減して表示品質が常に良好な表示装置を提供することが出来る。
【発明の効果】
【００３５】
上記の如く本発明によれば、表示パネルは、表示データが変化しないときに上書きパルスが印加されるので、長時間、表示内容が変化しない表示部分があっても、上書きパルスが印加されることによってコントラストが低下することを防ぎ、表示の濃淡ムラを低減し
て表示品質が常に良好な表示装置を提供することが出来る。また、上書きパルスによって直流電圧が僅かずつ積算される表示パネルを、前置反転パルス又は補正パルスによって交流化駆動することにより、表示パネルの劣化を低減して信頼性に優れた表示装置を実現することが出来る。
【発明を実施するための最良の形態】
【００３６】
以下図面により本発明の実施の形態を詳述する。図１は本発明の実施例１の表示装置の概略構成を示すブロック図である。図２は本発明の実施例１の動作を説明するタイミングチャートである。図３は本発明の実施例１の効果を説明する光反射率のグラフである。図４は本発明の実施例２の表示装置のセグメントドライバの構成を示すブロック図である。図５は本発明の実施例２の動作を説明するタイミングチャートである。図６は本発明の実施例２の他の動作を説明するタイミングチャートである。図７は本発明の実施例３の表示装置のセグメントドライバの構成を示すブロック図である。図８は本発明の実施例３の動作フローを説明するフローチャートである。図９は本発明の実施例３の動作を説明するタイミングチャートである。図１０は本発明の表示パネルを説明する断面図である。図１１は本発明の表示パネルの動作原理を説明する拡大断面図である。図１２は数字キャラクタを表示する本発明の表示パネルの一例を示す平面図である。図１３は図１２に示した表示パネルに数字「２」を表示した状態から数字「３」を表示する状態へ変化させる場合の説明図である。
【００３７】
〔表示パネルの説明〕
まず、本発明の表示装置に用いられる表示パネルを図１０〜図１３に基づいて説明する。図１０において、５０は本発明の表示装置に用いられる表示パネルの一例である。この表示パネル５０は帯電粒子が電気泳動によって移動する電気泳動型表示パネルであり、この構成は公知であるが、本発明を説明する助けとして表示パネル５０の構成と動作原理を説明する。
【００３８】
ここで表示パネル５０は、透明な樹脂基板５１の裏面全体にＩＴＯ（酸化インジューム錫）膜による透明な共通電極（コモン電極）ＣＯＭを形成し、その上に電子インクとも称されるマイクロカプセル表示層５３が形成されている。このマイクロカプセル表示層５３の表面に画素毎のセグメント電極ＳＥＧが形成されたフレキシブルプリント基板（以下ＦＰＣと略す）５５が接着剤層５４によって接着され構成される。
【００３９】
そして、マイクロカプセル表示層５３は、バインダや界面活性剤、増粘剤、純水等の混合体中に直径が数十μｍ程度の微小なマイクロカプセル６０が多数分散している。すなわち、表示パネル５０は、透明な樹脂基板５１とＦＰＣ５５が一対の基板として配設され、その対向面の一方に共通電極ＣＯＭが形成され、他方の面にセグメント電極ＳＥＧが形成され、その間にマイクロカプセル６０が封入されている。
【００４０】
次に、図１１に基づいて表示パネル５０の動作原理を説明する。図１１において、マイクロカプセル６０は、透明なメタクリル樹脂等からなるカプセル殻６１の内部に、帯電粒子として酸化チタン等からなる白色粒子６３ａとカーボンブラック等からなる黒色粒子６３ｂが、シリコーンオイル等の粘性の高い透明な分散媒６２に分散された状態で封入されている。そして、白色粒子６３ａは負に帯電され、黒色粒子６３ｂは正に帯電されている。
【００４１】
そして、このマイクロカプセル表示層５３を挟むように配置された電極のうち、一方の全面一体の共通電極ＣＯＭを接地し、他方のＦＰＣ５５上のセグメント電極ＳＥＧに負電圧を印加した部分では、その電界によってマイクロカプセル６０内の負に帯電した白色粒子６３ａが透明な共通電極ＣＯＭ側へ、正に帯電した黒色粒子６３ｂはセグメント電極Ｓ
ＥＧ側へ移動するので、視認側（矢印Ａの方向）から見ると白く見える。一方、セグメント電極ＳＥＧに正電圧を印加した部分では、その逆向きの電界によってマイクロカプセル６０内の正に帯電した黒色粒子６３ｂが透明な共通電極ＣＯＭ側へ、負に帯電した白色粒子６３ａはセグメント電極ＳＥＧ側へ移動するので、視認側から見ると黒く見える。
【００４２】
また、図１１における中央のマイクロカプセル６０のように、負電圧が印加されたセグメント電極ＳＥＧと正電圧が印加されたセグメント電極ＳＥＧとに跨った位置のマイクロカプセル６０内では、白色粒子６３ａの一部は共通電極ＣＯＭ側へ、残りはセグメント電極ＳＥＧ側へ移動し、黒色粒子６３ｂの一部はセグメント電極ＳＥＧ側へ移動し、残りは共通電極ＣＯＭ側へ移動するので、マイクロカプセル６０の直径よりも、細かい表示も可能である。
【００４３】
したがって、共通電極ＣＯＭとセグメント電極ＳＥＧとの間に印加する電圧の極性によって、白又は黒に表示状態を変化させることができる。このとき白色粒子６３ａと黒色粒子６３ｂは分散媒６２中を電気泳動によって移動するが、分散媒６２の粘度が高いので、電圧を印加して表示状態を変化させた後、その電圧の印加を停止しても、それぞれの粒子の分子間力により、その表示状態を保持するメモリ性効果を持つことが出来る。これにより、表示パネル５０は、表示を変化させる時だけ駆動電圧を印加すればよいので、消費電力が極めて少ないことが大きな特徴である。
【００４４】
次に図１２は、前述した表示パネル５０で数字等のキャラクタを表示するようにした一例を示している。図１２において、表示パネル５０は、セグメントＳ０〜Ｓ６によって成るセブンセグメントキャラクタＳＣを１桁表す表示体で構成されている。また、そのセグメントＳ０〜Ｓ６の周囲領域Ｓ７はセブンセグメントキャラクタＳＣの背景領域を表している。
【００４５】
この表示パネル５０は電極として１個の共通電極ＣＯＭと８個のセグメント電極を有している。この８個のセグメント電極とは、セグメントＳ０からセグメントＳ６に対応するセグメント電極ＳＥＧ０からＳＥＧ６、及び周囲領域Ｓ７に対応するセグメント電極ＢＧである。また、表示パネル５０の下部より出ている９本の線はそれぞれ、共通電極ＣＯＭおよび８個のセグメント電極ＳＥＧ０〜ＳＥＧ６、ＢＧに接続されたリード線であり、それぞれのリード線は、接続される各セグメント電極と同一の名称を付して示している。そして、それぞれのリード線は、後述する駆動手段を複数集積する駆動ＩＣに接続される。
【００４６】
次に図１３は、図１２に示した表示パネル５０によるセブンセグメントキャラクタＳＣを（Ａ）の数字「２」を表示した状態から（Ｂ）の数字「３」を表示する状態へ変化させる場合を示している。図１３において、最初の（Ａ）の表示状態では、セグメントＳ０、Ｓ１、Ｓ３、Ｓ４及びＳ６が黒であり、セグメントＳ２，Ｓ５及び周囲領域Ｓ７が白である。そして、変化後の（Ｂ）の表示状態では、セグメントＳ０、Ｓ１、Ｓ２、Ｓ３及びＳ６が黒となり、セグメントＳ４、Ｓ５及び周囲領域Ｓ７が白となる。
【００４７】
ここで実際に表示する駆動方法として、セブンセグメントキャラクタＳＣの表示状態を変化させるには、まず、（Ａ）の数字「２」を表示させるために、共通電極ＣＯＭは常に接地（すなわち０ｖ）とし、セグメント電極ＳＥＧ０、ＳＥＧ１、ＳＥＧ３、ＳＥＧ４、ＳＥＧ６には一時的に正の駆動電圧を印加する。また、セグメント電極ＳＥＧ２、ＳＥＧ５、ＢＧには一時的に負の電圧を印加し、その後、全てのセグメント電極は共通電極ＣＯＭと同電位の０ｖとする。
【００４８】
次に、（Ｂ）の数字「３」に表示を変化させるために、共通電極ＣＯＭは常に接地（すなわち０ｖ）とし、白から黒に変化するセグメント電極ＳＥＧ２に一時的に正の駆動電圧
を印加し、黒から白に変化するセグメント電極ＳＥＧ４には一時的に負の電圧を印加する。そしてその後、セグメント電極ＳＥＧ２とＳＥＧ４は共通電極ＣＯＭと同電位の０ｖに戻すと共に、変化しないセグメント電極ＳＥＧ０、ＳＥＧ１、ＳＥＧ３、ＳＥＧ５、ＳＥＧ６、及び周囲領域のセグメント電極ＢＧは、０ｖの印加を継続する。
【００４９】
このように、黒、又は白に書き換えるセグメント電極には、一時的に正、又は負の電圧を印加し、表示が変化しない他のセグメント電極には共通電極ＣＯＭと同電位の０ｖを継続するのは、前述したように表示パネル５０はメモリ性を有するため、前回の表示状態をそのまま保持することが出来るからである。
【００５０】
しかし、前述した如く、このような電気泳動型の表示パネルは、駆動電圧を印加して表示を黒、又は白とした後、長時間、電圧無印加状態を続けると、表示層における帯電粒子に僅かながら自由な流動が生じて、白又は黒の表示濃度が変化して灰色に近づく傾向があり、表示のコントラストが次第に低下するという問題がある。また、コントラストが低下して、セグメントの表示濃度が変化したときに、駆動電圧をそのセグメント電極に印加すると、正規の黒又は白の濃度の表示がなされなくなって表示濃度にばらつきが生じ、表示品質が低下する問題もある。本発明の表示装置は、このような表示品質の低下を改善することが最大の特徴であり、以下、実施例に基づいて説明する。
【実施例１】
【００５１】
まず、本発明の実施例１としての表示装置の概略構成を図１に基づいて説明する。ここで、実施例１の特徴は、本発明を最も簡単な構成で実現することである。図１において、１は本発明の実施例１の表示装置である。表示装置１は、表示パネル５０と、この表示パネル５０を駆動する駆動手段としてのセグメントドライバを複数集積した駆動ＩＣ２によって構成される。ここで、表示パネル５０は、前述の図１０〜図１２で示した表示パネルと同様な構成であるので、図１においても同一番号を付す。
【００５２】
すなわち、表示パネル５０は、透明な樹脂基板５１とＦＰＣ５５による一対の基板の対向面に形成される共通電極ＣＯＭとセグメント電極ＳＥＧの間に帯電粒子６３が封入され、共通電極ＣＯＭとセグメント電極ＳＥＧに印加される電圧の極性に応じて帯電粒子６３が電気泳動によって移動する電気泳動型表示パネルである。尚、帯電粒子６３は、図１１で前述した如く、マイクロカプセル６０の中に封入された白色粒子６３ａと黒色粒子６３ｂによって構成され、マイクロカプセル６０は、マイクロカプセル表示層５３の中に多数分散しているが、詳細な説明は、ここでは省略する。
【００５３】
また、駆動ＩＣ２は、表示パネル５０を駆動する駆動手段としての複数のセグメントドライバ１０ａ〜１０ｈと、入力回路３等によって構成される。また、クロック信号を発生するクロック回路や、正電圧＋Ｖと負電圧−Ｖを生成する電源回路等も設けられているが、特別な回路ではないので図示を省略している。そして、セグメントドライバ１０ａ〜１０ｈは、表示パネル５０に駆動電圧ＳＥＧＶａ〜ＳＥＧＶｈを出力する。また、共通電極ＣＯＭは図示していないが、０ｖに接続されている。
【００５４】
ここで、表示パネル５０は、図１２で示したセブンセグメントキャラクタＳＣを１桁表す表示体で構成されることを前提とするならば、セグメント電極数は８個であるので、セグメントドライバも８個で構成される。すなわち、セグメントドライバは、表示パネル５０のセグメント電極ごとに設けられ、各セグメント電極を駆動する。
【００５５】
また、入力回路３は、駆動ＩＣ２の外部から表示データや制御信号を含んだ入力信号Ｐ１を入力し、各セグメントドライバ１０ａ〜１０ｈに伝達する機能を有している。すなわち、入力回路３は、入力信号Ｐ１を入力し、各セグメント電極に対応する表示データＰ２
ａ〜Ｐ２ｈと、クロック信号Ｐ３と、表示書換信号Ｐ４を出力する。尚、駆動ＩＣ２の外部には、表示装置１が組み込まれる電子機器の制御部があり、この制御部から表示データや制御信号を含んだ入力信号Ｐ１が出力されるが、ここでの記載は省略する。
【００５６】
次に、セグメントドライバ１０ａの内部構成を説明する。尚、セグメントドライバ１０ａ〜１０ｈは、すべて同じ構成である。ここで、セグメントドライバ１０ａの内部の１１は、表示データ記憶部としてのシフトレジスタであり、表示パネル５０の表示内容が書き換えられる毎に、表示データＰ２ａを入力してクロック信号Ｐ３のタイミングで記憶し、現在の表示データである現表示データＰ５ａと、次に書き換えられる表示データである次表示データＰ５ｂを順次出力する。
【００５７】
また、１２は表示推移検出部であり、シフトレジスタ１１からの現表示データＰ５ａと次表示データＰ５ｂを入力して、表示データの推移を検出し分類して表示推移信号Ｐ６ａ〜Ｐ６ｄを出力する。ここで、表示推移信号Ｐ６ａは、表示パネル５０のあるセグメント（例えばセグメントＳ０）が、現在の表示が白（現表示データＰ５ａ＝“０”）で、次の表示データも白（次表示データＰ５ｂ＝“０”）のとき、論理“１”となる信号である。また、表示推移信号Ｐ６ｂは、表示パネル５０のあるセグメントが、現在の表示が黒（現表示データＰ５ａ＝“１”）で、次の表示データも黒（次表示データＰ５ｂ＝“１”）のとき、論理“１”となる信号である。
【００５８】
また、表示推移信号Ｐ６ｃは、表示パネル５０のあるセグメントが、現在の表示が白（現表示データＰ５ａ＝“０”）で、次の表示データが黒（次表示データＰ５ｂ＝“１”）のとき、論理“１”となる信号である。また、表示推移信号Ｐ６ｄは、表示パネル５０のあるセグメントが、現在の表示が黒（現表示データＰ５ａ＝“１”）で、次の表示データが白（次表示データＰ５ｂ＝“０”）のとき、論理“１”となる信号である。すなわち、表示推移検出部１２は、表示データの推移を４つに分類し、その検出結果を表示推移信号Ｐ６ａ〜Ｐ６ｄとして出力する。
【００５９】
次に２０は駆動パルス発生部であり、上書きパルス発生部２１と表示反転パルス発生部２２によって構成され、表示推移信号Ｐ６ａ〜Ｐ６ｄを入力し、表示書換信号Ｐ４に同期して表示パネル５０を駆動する上書きパルスＰ７ａ、Ｐ７ｂと表示反転パルスＰ８ａ、Ｐ８ｂを生成し出力する。尚、表示書換信号Ｐ４は、表示パネル５０の表示内容を書き換える毎に、外部から入力されるタイミング信号であるが、シフトレジスタ１１のクロック信号Ｐ３を若干遅延させて、駆動ＩＣ２の内部で生成しても良い。
【００６０】
すなわち、上書きパルス発生部２１は、表示書換信号Ｐ４のタイミングで表示推移信号Ｐ６ａが論理“１”（すなわち、表示データＰ２ａの推移が白→白）のときに上書きパルスＰ７ａを出力し、また、同じく表示書換信号Ｐ４のタイミングで表示推移信号Ｐ６ｂが論理“１”（すなわち、表示データＰ２ａの推移が黒→黒）のときに上書きパルスＰ７ｂを出力する。
【００６１】
また、表示反転パルス発生部２２は、表示書換信号Ｐ４のタイミングで表示推移信号Ｐ６ｃが論理“１”（すなわち、表示データＰ２ａの推移が白→黒）のときに表示反転パルスＰ８ａを出力し、また、同じく表示書換信号Ｐ４のタイミングで表示推移信号Ｐ６ｄが論理“１”（すなわち、表示データＰ２ａの推移が黒→白）のときに表示反転パルスＰ８ｂを出力する。
【００６２】
尚、本実施例では、駆動パルス発生部２０を上書きパルス発生部２１と表示反転パルス発生部２２に分離して構成したが、この構成に限定されず、例えば、駆動パルス発生部２０は一つの回路で構成し、表示推移信号Ｐ６ａ〜Ｐ６ｄを入力して表示書換信号Ｐ４に同
期して上書きパルスＰ７ａ、Ｐ７ｂと表示反転パルスＰ８ａ、Ｐ８ｂを出力しても良い。
【００６３】
次に、１５は駆動電圧出力部であり、前述の上書きパルスＰ７ａ、Ｐ７ｂと、表示反転パルスＰ８ａ、Ｐ８ｂを入力し、それぞれのパルスを正電圧＋Ｖと負電圧−Ｖに電圧変換して駆動電圧ＳＥＧＶａとして出力し、表示パネル５０に供給する。尚、電圧値の一例として、正電圧＋Ｖは＋１５Ｖ位であり、負電圧−Ｖは−１５Ｖ位の電圧が用いられる。
【００６４】
次に図２のタイミングチャートに基づいて、本発明の実施例１の動作の一例を説明する。ここで図２に示す駆動電圧は、図１で示した表示パネル５０の共通電極ＣＯＭに印加される駆動電圧ＣＯＭＶと、セグメント電極ＳＥＧのいずれかに印加される駆動電圧ＳＥＧＶ１１〜ＳＥＧＶ１４の４種類の駆動電圧である。これらの駆動電圧は、表示データ（白又は黒のデータ）に対応して表示反転パルスを印加するための表示反転期間Ｔ２と、その表示反転パルスの印加を止めて表示データに対応した表示状態を維持するための表示期間Ｔ３と、表示データが変化しないときに上書きパルスを印加するための上書き期間Ｔ１の３つの期間で構成されている。
【００６５】
そして、共通電極ＣＯＭへの駆動電圧ＣＯＭＶは、前述した如く、常に接地して０ｖの電位とする。次に、外部の制御部（図示せず）から、入力信号Ｐ１に含まれる表示内容を書き換える表示書換信号Ｐ４が来ると、駆動パルス発生部２０は、この表示書換信号Ｐ４に同期して表示推移信号Ｐ６ａ〜Ｐ６ｄに基づいて上書きパルスＰ７ａ、Ｐ７ｂ、又は表示反転パルスＰ８ａ、Ｐ８ｂを出力し、駆動電圧出力部１５は電圧変換して駆動電圧ＳＥＧＶ１１〜ＳＥＧＶ１４を出力する。
【００６６】
ここで、ＳＥＧＶ１１は、表示推移信号Ｐ６ａが論理“１”（すなわち、表示データの推移が白→白）のときに出力される駆動電圧であり、表示書換信号Ｐ４に同期して負電圧−Ｖの上書きパルスＰ７ａが上書き期間Ｔ１に出力され、他の表示反転期間Ｔ２と表示期間Ｔ３は、共通電極ＣＯＭへの駆動電圧ＣＯＭＶと同電位の０ｖが印加される。
【００６７】
また、ＳＥＧＶ１２は、表示推移信号Ｐ６ｂが論理“１”（すなわち、表示データの推移が黒→黒）のときに出力される駆動電圧であり、表示書換信号Ｐ４に同期して正電圧＋Ｖの上書きパルスＰ７ｂが上書き期間Ｔ１に出力され、他の表示反転期間Ｔ２と表示期間Ｔ３は、駆動電圧ＣＯＭＶと同電位の０ｖが印加される。
【００６８】
また、ＳＥＧＶ１３は、表示推移信号Ｐ６ｃが論理“１”（すなわち、表示データの推移が白→黒）のときに出力される駆動電圧であり、表示書換信号Ｐ４に同期して正電圧＋Ｖの反転表示パルスＰ８ａが上書き期間Ｔ１を含めて反転表示期間Ｔ２に出力され、他の表示期間Ｔ３は、駆動電圧ＣＯＭＶと同電位の０ｖが印加される。
【００６９】
また、ＳＥＧＶ１４は、表示推移信号Ｐ６ｄが論理“１”（すなわち、表示データの推移が黒→白）のときに出力される駆動電圧であり、表示書換信号Ｐ４に同期して負電圧−Ｖの反転表示パルスＰ８ｂが上書き期間Ｔ１を含めて反転表示期間Ｔ２に出力され、他の表示期間Ｔ３は、駆動電圧ＣＯＭＶと同電位の０ｖが印加される。
【００７０】
そして、駆動電圧ＳＥＧＶ１１の上書きパルスＰ７ａは、表示の推移が白→白で、表示データが変化しないとき、すなわち、対応するセグメントの表示内容が変化せずに白で固定されているときに出力される駆動パルスである。また、駆動電圧ＳＥＧＶ１２の上書きパルスＰ７ｂは、表示の推移が黒→黒で、表示データが変化しないとき、すなわち、対応するセグメントの表示内容が変化せずに黒で固定されているときに出力される駆動パルスである。
【００７１】
この上書きパルスＰ７ａ、Ｐ７ｂは、前述した如く、メモリ性を有する電気泳動型の表示パネルの特性である電圧無印加状態を続けた場合に白又は黒の表示濃度が変化して灰色に近づき、表示のコントラストが次第に低下する現象を低減させることが出来る。すなわち、表示パネル５０のセグメントが白を保持していて次第に白から灰色に近づいたとき、白となる負電圧−Ｖの上書きパルスＰ７ａを再び印加することによって、表示状態は正規の白の濃度に戻るのでコントラストの低下を低減させることが出来る。
【００７２】
また同様に、表示パネル５０のセグメントが黒を保持していて次第に黒から灰色に近づいたとき、黒となる正電圧＋Ｖの上書きパルスＰ７ｂを再び印加することによって、表示状態は正規の黒の濃度に戻るのでコントラストの低下を低減させることが出来る。このように、上書きパルスＰ７ａ、Ｐ７ｂは、表示パネル５０の表示状態の濃淡を強くする方向の電圧極性が選択されて印加されるので、長時間、表示内容が変化しない表示部分があったとしても、表示のコントラストが低下することを防ぐことが出来る。また、上書きパルスＰ７ａ、Ｐ７ｂは、表示内容を書き換える表示反転パルスＰ８ａ、Ｐ８ｂと同期して表示の書き換え動作に合わせて出力される。
【００７３】
また、駆動電圧ＳＥＧＶ１３の表示反転パルスＰ８ａは、表示の推移が白→黒で、表示データが変化したとき、すなわち、対応するセグメントの表示内容を白から黒に変化させるときに出力される駆動パルスであり、表示が白のとき、黒を書き込むために正電圧＋Ｖが印加される。また、駆動電圧ＳＥＧＶ１４の表示反転パルスＰ８ｂは、表示の推移が黒→白で、表示データが変化したとき、すなわち、対応するセグメントの表示内容を黒から白に変化させるときに出力される駆動パルスであり、表示が黒のとき、白を書き込むために負電圧−Ｖが印加される。これによって、表示パネル５０は、表示データの推移に応じて、表示内容を書き換えることが出来る。
【００７４】
ここで、上書き期間Ｔ１と表示反転期間Ｔ２の長さは、一例として、上書きパルスＰ７ａ、Ｐ７ｂのパルス幅である上書き期間Ｔ１は約１６ｍＳであり、表示反転パルスＰ８ａ、Ｐ８ｂのパルス幅である表示反転期間Ｔ２は約３００ｍＳである。そして、この上書きパルスＰ７ａ、Ｐ７ｂと表示反転パルスＰ８ａ、Ｐ８ｂのパルス幅の比率は３％〜２０％の範囲が動作上良い。これは、上書き期間Ｔ１の比率が３％以下であると、表示状態を正規の濃度に戻すことが難しくなるからである。また、上書き期間Ｔ１の比率が２０％以上になると、表示状態が正規の濃度以上となって、白、又は黒の濃淡ムラが見える可能性があるからである。
【００７５】
次に図３のグラフに基づいて、本発明の効果を説明する。この図３は、前述した従来の表示装置の光反射率の変化を示した図１４に対応する本発明の表示装置における光反射率の変化を示している。図３において、横軸は経過時間であり、縦軸は表示パネル５０の光反射率を示している。ここで、例えば前述した図１２のセブンセグメントキャラクタＳＣの周囲領域Ｓ７のように、白を長時間表示させるセグメントの場合、本発明においては、表示書換信号Ｐ４が来る毎に、そのタイミングに同期して上書きパルスＰ７ａが印加されるので、白表示は繰り返し白が上書きされる。これにより、図示するように白表示のセグメントは、表示書換信号Ｐ４のタイミングで白の濃度が正規の白濃度（例えば光反射率３８％付近）に戻るので、コントラストの低下を防ぐことが出来る。
【００７６】
また同様に、図１２のセブンセグメントキャラクタＳＣを反転表示させて周囲領域Ｓ７を黒表示として長時間表示させたとしても、本発明においては、表示書換信号Ｐ４が来る毎に、そのタイミングに同期して上書きパルスＰ７ｂが印加されるので、黒表示は繰り返し黒が上書きされる。これにより、図示するように黒表示のセグメントは、表記書換信号Ｐ４のタイミングで黒の濃度が正規の黒濃度（例えば光反射率５％付近）に戻るので、コントラストの低下を防ぐことが出来る。
【００７７】
また、表示書換信号Ｐ４が来る毎に、表示内容が変化しないセグメントに上書きパルスＰ７ａ、Ｐ７ｂが印加されるので、白濃度と黒濃度の変動量が減って安定し、表示の濃淡ムラが低減されて良好な表示品質を実現できる。すなわち、背景色が白であれば、背景の白を正規の白に保ち、また、文字や模様の黒をより黒くして視認性に優れた表示装置を実現することが出来る。
【００７８】
以上のように本発明によれば、メモリ性を有する表示パネルに対して、長時間、表示内容が変化しない表示部分があったとしても、上書きパルスによって表示状態の濃淡を強くする方向の駆動電圧が印加されるので、コントラストが良好で表示品質に優れた表示装置を提供することが出来る。また、上書きパルスは表示書換信号に同期して、表示内容が書き換えられる表示セグメントの書き換え動作に合わせて印加されるので、表示内容が変化しない表示セグメントの上書き動作を確実に行うことが出来、白又は黒の濃度変化が少なく、表示の濃淡ムラが低減された見栄えの良好な表示装置を実現することが出来る。
【実施例２】
【００７９】
次に、本発明の実施例２としての表示装置のセグメントドライバの概略構成を図４に基づいて説明する。ここで、実施例２の特徴は、表示パネルに上書きパルスと反対極性の前置反転パルスを印加することによって、上書きパルスによる直流電圧の印加を低減することである。この実施例２は、駆動手段としてのセグメントドライバ以外の構成は、実施例１と同様であるので説明は省略し、実施例１と構成が異なるセグメントドライバの内部構成と動作に関して説明する。尚、実施例１のセグメントドライバ１０ａと同一要素には同一番号を付し重複する説明は一部省略する。
【００８０】
図４において、３０は本発明の実施例２の駆動手段としてのセグメントドライバである。ここで、表示データ記憶部としてのシフトレジスタ１１は、実施例１と同一の機能を有し、表示データＰ２を入力してクロック信号Ｐ３のタイミングで記憶し、現表示データＰ５ａと次表示データＰ５ｂを順次出力する。
【００８１】
３１は表示推移検出部であり、シフトレジスタ１１からの現表示データＰ５ａと次表示データＰ５ｂを入力して、表示推移信号Ｐ６ａ〜Ｐ６ｆを出力する。ここで、表示推移信号Ｐ６ａ〜Ｐ６ｄは、実施例１と同様であるので説明は省略する。そして、表示推移信号Ｐ６ｅは次表示データＰ５ｂを反転した信号で、次表示データＰ５ｂが白で論理“０”のとき、論理“１”となる信号である。また、表示推移信号Ｐ６ｆは、次表示データＰ５ｂをそのままスルーした信号で、次表示データＰ５ｂが黒で論理“１”のとき、論理“１”となる信号である。
【００８２】
次に３２は駆動パルス発生部であり、上書きパルス発生部２１と表示反転パルス発生部２２、及び、前置反転パルス発生部３３によって構成される。ここで、上書きパルス発生部２１と表示反転パルス発生部２２は、実施例１と同様であるので説明は省略する。そして、前置反転パルス発生部３３は、表示推移信号Ｐ６ｅ、Ｐ６ｆを入力し、表示書換信号Ｐ４に同期して短いパルス幅の前置反転パルスＰ９ａ、Ｐ９ｂを出力する。
【００８３】
ここで、前置反転パルスＰ９ａは、表示推移信号Ｐ６ｅが論理“１”となったとき、すなわち、次表示データＰ５ｂが白のとき、表示書換信号Ｐ４のタイミングで短い期間出力される。また、前置反転パルスＰ９ｂは、表示推移信号Ｐ６ｆが論理“１”となったとき、すなわち、次表示データＰ５ｂが黒のとき、表示書換信号Ｐ４のタイミングで短い期間出力される。
【００８４】
次に、３４は駆動電圧出力部であり、上書きパルスＰ７ａ、Ｐ７ｂと、表示反転パルス
Ｐ８ａ、Ｐ８ｂ、及び、前置反転パルスＰ９ａ、Ｐ９ｂを入力し、それぞれのパルスを正電圧＋Ｖと負電圧−Ｖに電圧変換して駆動電圧ＳＥＧＶとして出力する。尚、セグメントドライバ３０は、実施例１と同様に、表示パネルのセグメント電極ごとに設けられ、それぞれのセグメント電極を個々に駆動する。
【００８５】
次に図５のタイミングチャートに基づいて、実施例２の表示装置の動作の一例を説明する。ここで、実施例１の動作説明で示した図２のタイミングチャートと同様な動作については説明を一部省略する。ここで図５に示す駆動電圧は、図１で示した表示パネル５０の共通電極ＣＯＭに印加される駆動電圧ＣＯＭＶと、セグメント電極ＳＥＧのいずれかに印加される４種類の駆動電圧ＳＥＧＶ２１〜ＳＥＧＶ２４である。
【００８６】
これらの駆動電圧は、表示データ（白又は黒のデータ）に対応して表示反転パルスを印加するための表示反転期間Ｔ２と、その表示反転パルスの印加を止めて表示データに対応する表示状態を維持するための表示期間Ｔ３と、表示データが変化しないときに上書きパルスを印加するための上書き期間Ｔ１と、上書きパルスと表示反転パルスの前に出力される前置反転パルスを印加するための前置反転期間Ｔ０の４つの期間で構成されている。
【００８７】
そして、共通電極ＣＯＭへの駆動電圧ＣＯＭＶは、実施例１と同様に、常に接地して０ｖの電位とする。次に、外部の制御部（図示せず）から、入力信号Ｐ１に含まれる表示内容を切り替える表示書換信号Ｐ４が来ると、駆動パルス発生部３２は、この表示書換信号Ｐ４に同期して表示推移信号Ｐ６ａ〜Ｐ６ｆに基づいて上書きパルスＰ７ａ、Ｐ７ｂと表示反転パルスＰ８ａ、Ｐ８ｂ、及び、前置反転パルスＰ９ａ、Ｐ９ｂを出力し、駆動電圧出力部３４は電圧変換して駆動電圧ＳＥＧＶ２１〜ＳＥＧＶ２４を出力する。
【００８８】
ここで、ＳＥＧＶ２１は、表示推移信号Ｐ６ａが論理“１”（すなわち、表示データの推移が白→白）で表示推移信号Ｐ６ｅが論理“１”のときに出力される駆動電圧であり、表示書換信号Ｐ４に同期して正電圧＋Ｖの前置反転パルスＰ９ａが前置反転期間Ｔ０に出力され、続いて負電圧−Ｖの上書きパルスＰ７ａが上書き期間Ｔ１に出力され、他の表示反転期間Ｔ２と表示期間Ｔ３は、駆動電圧ＣＯＭＶと同電位の０ｖが印加される。
【００８９】
また、ＳＥＧＶ２２は、表示推移信号Ｐ６ｂが論理“１”（すなわち、表示データの推移が黒→黒）で表示推移信号Ｐ６ｆが論理“１”のときに出力される駆動電圧であり、表示書換信号Ｐ４に同期して負電圧−Ｖの前置反転パルスＰ９ｂが前置反転期間Ｔ０に出力され、続いて正電圧＋Ｖの上書きパルスＰ７ｂが上書き期間Ｔ１に出力され、他の表示反転期間Ｔ２と表示期間Ｔ３は、駆動電圧ＣＯＭＶと同電位の０ｖが印加される。
【００９０】
また、ＳＥＧＶ２３は、表示推移信号Ｐ６ｃが論理“１”（すなわち、表示データの推移が白→黒）で表示推移信号Ｐ６ｆが論理“１”のときに出力される駆動電圧であり、表示書換信号Ｐ４に同期して負電圧−Ｖの前置反転パルスＰ９ｂが前置反転期間Ｔ０に出力され、続いて正電圧＋Ｖの反転表示パルスＰ８ａが上書き期間Ｔ１を含めて反転表示期間Ｔ２に出力され、他の表示期間Ｔ３は、駆動電圧ＣＯＭＶと同電位の０ｖが印加される。
【００９１】
また、ＳＥＧＶ２４は、表示推移信号Ｐ６ｄが論理“１”（すなわち、表示データの推移が黒→白）で表示推移信号Ｐ６ｅが論理“１”のときに出力される駆動電圧であり、表示書換信号Ｐ４に同期して正電圧＋Ｖの前置反転パルスＰ９ａが前置反転期間Ｔ０に出力され、続いて負電圧−Ｖの反転表示パルスＰ８ｂが上書き期間Ｔ１を含めて反転表示期間Ｔ２に出力され、他の表示期間Ｔ３は、駆動電圧ＣＯＭＶと同電位の０ｖが印加される。
【００９２】
ここで、各期間の長さは、実施例１と同様に一例として、上書きパルスＰ７ａ、Ｐ７ｂのパルス幅である上書き期間Ｔ１は約１６ｍＳであり、表示反転パルスＰ８ａ、Ｐ８ｂの
パルス幅である表示反転期間Ｔ２は約３００ｍＳである。そして、この二つのパルス幅の比率は、３％〜２０％の範囲が動作上良い。また、前置反転パルスＰ９ａ、Ｐ９ｂのパルス幅である前置反転期間Ｔ０は、上書きパルスＰ７ａ、Ｐ７ｂのパルス幅である上書き期間Ｔ１の１／２以下であることが動作上良い。
【００９３】
そして、駆動電圧ＳＥＧＶ２１〜ＳＥＧＶ２４のそれぞれの上書きパルスＰ７ａ、Ｐ７ｂと表示反転パルスＰ８ａ、Ｐ８ｂは、実施例１の駆動電圧と同様であり、その作用も同様であるので説明は省略する。
【００９４】
次に、本実施例の特徴である前置反転パルスの作用について説明する。図５において、駆動電圧ＳＥＧＶ２１での前置反転パルスＰ９ａは正電圧＋Ｖであって、そのあとに出力される上書きパルスＰ７ａは負電圧−Ｖである。ここで、表示書換信号Ｐ４のタイミング毎に、負電圧−Ｖの上書きパルスＰ７ａが出力されると、表示パネル５０に負電圧−Ｖの直流分が僅かずつ積算され、長期的に見て表示パネルが劣化し、信頼性が低下する問題がある。
【００９５】
しかし、上書きパルスＰ７ａの印加の前に反対極性である前置反転パルスＰ９ａを瞬間的に印加することにより、表示パネルの電極間に逆向きの電流が流れて直流分の印加が低減される。すなわち、表示パネルは交流化駆動に近い駆動が行われるので、表示パネルの劣化を防ぎ、信頼性に優れた表示装置を実現することが出来る。また、前置反転パルスＰ９ａのパルス幅を上書きパルスＰ７ａのパルス幅の１／２以下とすることによって、表示パネルの表示濃度を正規の白濃度に戻す働きは妨げられず、実施例１と同様に、上書きパルスＰ７ａによって表示のコントラストの低下を低減させることが出来る。
【００９６】
また、駆動電圧ＳＥＧＶ２２の正電圧＋Ｖによる上書きパネルＰ７ｂと、負電圧−Ｖによる前置反転パルスＰ９ｂにおいても、まったく同様の作用によって、表示パネルの劣化を防いで表示パネルの信頼性向上を実現し、また、表示のコントラストの低下を低減させることが出来る。
【００９７】
また、駆動電圧ＳＥＧＶ２３、ＳＥＧＶ２４は、表示反転パルスＰ８ａの前に前置反転パルスＰ９ｂを印加し、また、表示反転パルスＰ８ｂの前に前置反転パルスＰ９ａを印加している。このときの前置反転パルスＰ９ａ、Ｐ９ｂの作用は、表示期間Ｔ３で白又は黒の表示濃度が変化して灰色に近づいた状態を、前置反転パルスによって一旦正規の白又は黒の濃度に戻してから、表示反転パルスによって目的の黒又は白の濃度に書き換えて、書き換え後の濃度を正規のレベルにするという作用がある。これにより、表示の濃淡ムラを低減することが出来る。
【００９８】
次に図６のタイミングチャートに基づいて、実施例２の表示装置の他の動作の一例を説明する。ここで、図６の駆動電圧ＳＥＧＶ２１´〜ＳＥＧＶ２４´が図５の駆動電圧ＳＥＧＶ２１〜ＳＥＧＶ２４と異なる点は、前置反転パルスＰ９ａ、Ｐ９ｂを出力する前置反転期間Ｔ０が延長されたことである。すなわち、図６で示す実施例２の他の動作は、前置反転期間Ｔ０と、その後に続く上書き期間Ｔ１が等しく設定されている。
【００９９】
これにより、駆動電圧ＳＥＧＶ２１´の表示推移信号Ｐ６ａが論理“１”（すなわち、表示データの推移が白→白）においては、前置反転パルスＰ９ａのパルス幅と、その後に続く上書きパルスＰ７ａのパルス幅が等しい。また、前置反転パルスＰ９ａは正電圧＋Ｖであり、上書きパルスＰ７ａは負電圧−Ｖであって、電圧極性は反対極性である。
【０１００】
また、駆動電圧ＳＥＧＶ２２´の表示推移信号Ｐ６ｂが論理“１”（すなわち、表示データの推移が黒→黒）においては、前置反転パルスＰ９ｂのパルス幅と、その後に続く上
書きパルスＰ７ｂのパルス幅が等しい。また、前置反転パルスＰ９ｂは負電圧−Ｖであり、上書きパルスＰ７ｂは正電圧＋Ｖであって、電圧極性は反対極性である。
【０１０１】
この結果、上書きパルスＰ７ａ、Ｐ７ｂのパルス幅と前置反転パルスＰ９ａ、Ｐ９ｂのパルス幅が等しく反対極性であるので、表示パネルは、上書きパルスＰ７ａ、Ｐ７ｂと前置反転パルスＰ９ａ、Ｐ９ｂによって交流化駆動が行われる。これにより、表示が長時間書き換えられないために上書きパルスＰ７ａ、Ｐ７ｂが継続的に表示パネルに印加されたとしても、表示パネルには直流電圧の印加が積算されず、表示パネルの劣化を防いで信頼性に優れた表示装置を実現することが出来る。
【０１０２】
また、表示を書き換える表示反転パルスＰ８ａ、Ｐ８ｂを出力する駆動電圧ＳＥＧＶ２３´、ＳＥＧＶ２４´は、前置反転期間Ｔ０を駆動電圧ＳＥＧＶ２１´、ＳＥＧＶ２２´に合わせて延長した動作を行っている。これは、全ての駆動電圧の前置反転期間Ｔ０を等しくすることで、前置反転パルス発生部３３の構成を簡略化できるメリットがある。しかし、全ての駆動電圧の前置反転期間Ｔ０を等しくすることは限定されるものではない。
【０１０３】
例えば、上書きパルスＰ７ａ、Ｐ７ｂの交流化のために、駆動電圧ＳＥＧＶ２１´、ＳＥＧＶ２２´においては、前置反転期間Ｔ０＝上書き期間Ｔ１と設定し、駆動電圧ＳＥＧＶ２３´、ＳＥＧＶ２４´の前置反転期間Ｔ０は、上書き期間Ｔ１より短い期間に設定しても良い。また、駆動電圧ＳＥＧＶ２３´、ＳＥＧＶ２４´の前置反転期間Ｔ０は削除して、表示反転パルスＰ８ａ、Ｐ８ｂだけを出力する駆動電圧としても良い。
【０１０４】
以上のように本発明の実施例２によれば、上書きパルスの前に上書きパルスと反対極性の前置反転パルスを印加するので、表示パネルに上書きパルスによって直流電圧の印加が積算されることを低減し、表示パネルの劣化を防いで信頼性に優れた表示装置を実現することが出来る。
【実施例３】
【０１０５】
次に、本発明の実施例３としての表示装置のセグメントドライバの概略構成を図７に基づいて説明する。ここで、実施例３の特徴は、表示反転パルスの印加の後に補正パルスを印加することによって、上書きパルスによる直流電圧の印加を低減することである。この実施例３はセグメントドライバ以外の構成は、実施例１及び実施例２と同様であるので説明は一部省略し、実施例１及び実施例２と構成が異なるセグメントドライバの内部構成と動作に関して説明する。尚、実施例２のセグメントドライバ３０と同一要素には同一番号を付し重複する説明は一部省略する。
【０１０６】
図７において、４０は本発明の実施例３の駆動手段としてのセグメントドライバである。ここで、表示データ記憶部としてのシフトレジスタ１１は、実施例１及び実施例２と同一の機能を有し、表示データＰ２を入力してクロック信号Ｐ３のタイミングで記憶し、現表示データＰ５ａと次表示データＰ５ｂを順次出力する。
【０１０７】
次に表示推移検出部３１は実施例２と同一の機能を有し、シフトレジスタ１１からの現表示データＰ５ａと次表示データＰ５ｂを入力して、表示推移信号Ｐ６ａ〜Ｐ６ｆを出力する。ここで、表示推移信号Ｐ６ａ〜Ｐ６ｆは、実施例２と同一の信号であるので説明は省略する。
【０１０８】
次に４１は駆動パルス発生部であり、上書きパルス発生部４２と表示反転パルス発生部４３と前置反転パルス発生部３３、及び、補正パルス発生器４４によって構成される。ここで、上書きパルス発生部４２は、表示推移信号Ｐ６ａ、Ｐ６ｂを入力し、表示書換信号Ｐ４に同期して上書きパルスＰ７ａ、Ｐ７ｂと上書き計数信号Ｐ１０を出力する。尚、上
書き計数信号Ｐ１０は、上書きパルスＰ７ａ、又は上書きパルスＰ７ｂが出力される毎に、１発ずつ出力される上書きパルスを計数するための信号である。
【０１０９】
また、表示反転パルス発生器４３は、表示推移信号Ｐ６ｃ、Ｐ６ｄを入力し、表示書換信号Ｐ４に同期して表示反転パルスＰ８ａ、Ｐ８ｂと、表示反転終了信号Ｐ１１を出力する。尚、表示反転終了信号Ｐ１１は、表示反転パルスＰ８ａ、Ｐ８ｂが終了するタイミングで出力される信号であり、そのとき出力されている表示反転パルスＰ８ａ、Ｐ８ｂの電圧極性（すなわち、正電圧＋Ｖか負電圧−Ｖか）の情報も出力される。
【０１１０】
また、補正パルス発生器４４は、表示反転終了信号Ｐ１１と、後述する上書き計数データＰ１２を入力し、二つの補正パルスＰ１３ａ、Ｐ１３ｂを出力する。尚、駆動パルス発生部４１に内蔵される前置反転パルス発生器３３は実施例２と同様の構成であるので説明は省略する。
【０１１１】
次に４５は上書きパルス計数部であり、上書き計数信号Ｐ１０を入力して内部のカウンタで計数し、その計数値を上書き計数データＰ１２として出力する。すなわち、上書き計数データＰ１２は、二つの上書きパルスＰ７ａ、Ｐ７ｂの出力数を計数した計数値である。
【０１１２】
次に、４６は駆動電圧出力部であり、上書きパルスＰ７ａ、Ｐ７ｂと、表示反転パルスＰ８ａ、Ｐ８ｂと、前置反転パルスＰ９ａ、Ｐ９ｂ、及び補正パルスＰ１３ａ、Ｐ１３ｂを入力し、それぞれのパルスを正電圧＋Ｖと負電圧−Ｖに電圧変換して駆動電圧ＳＥＧＶとして出力する。尚、セグメントドライバ４０は、実施例１と同様に、表示パネル５０のセグメント電極ごとに設けられ、それぞれのセグメント電極を個々に駆動する。
【０１１３】
次に図８のフローチャートに基づいて、実施例３のセグメントドライバ４０の動作フローの概略を説明する。尚、動作フローの説明は図８に沿って行うが、セグメントドライバ４０の構成は図７を参照する。
【０１１４】
図８において、セグメントドライバ４０は、シフトレジスタ１１に次の表示情報である表示データＰ２を入力し、クロック信号Ｐ３によって記憶する（ステップＳＴ１）。ここで、シフトレジスタ１１に次の表示データが記憶されると、現在の表示データである現表示データＰ５ａと、今回記憶された次に表示される次表示データＰ５ｂが出力される。
【０１１５】
次に、セグメントドライバ４０の表示推移検出部３１は、現表示データＰ５ａと次表示データＰ５ｂを入力し、現表示データＰ５ａ＝“０”であり次表示データＰ５ｂ＝“０”であるか（すなわち表示データの推移が白→白）を判定する（ステップＳＴ２）。ここで、肯定判定であれば、ステップＳＴ１０へ進み、否定判定であれば次のステップＳＴ３へ進む。
【０１１６】
次に、ステップＳＴ２で肯定判定であれば、表示推移検出部３１から表示推移信号Ｐ６ｅが論理“１”で出力されるので、表示書換信号Ｐ４に同期して駆動パルス発生部４１の前置反転パルス発生部３３から前置反転パルスＰ９ａが出力される。これによって、駆動電圧出力部４６から正電圧＋Ｖに電圧変換された前置反転パルスＰ９ａが出力されて表示パネルに印加される（ステップＳＴ１０）。
【０１１７】
次に、表示推移検出部３１から表示推移信号Ｐ６ａが論理“１”で出力されるので、駆動パルス発生部４１の上書きパルス発生部４２から上書きパルスＰ７ａが出力される。これによって、駆動電圧出力部４６から負電圧−Ｖ（白）に電圧変換された上書きパルスＰ７ａが出力されて表示パネルに印加される（ステップＳＴ１１）。
【０１１８】
次に、上書きパルス発生部４２から上書き計数信号Ｐ１０が出力され、上書きパルス計数部４５は、上書き計数信号Ｐ１０を入力して上書き計数データＰ１２を一つ加算する（ステップＳＴ１２）。その後、セグメントドライバ４０は表示期間Ｔ３に移行する。
【０１１９】
次に、ステップＳＴ２で否定判定であれば、セグメントドライバ４０の表示推移検出部３１は、現表示データＰ５ａ＝“１”であり次表示データＰ５ｂ＝“１”であるか（すなわち表示データの推移が黒→黒）を判定する（ステップＳＴ３）。ここで、肯定判定であれば、ステップＳＴ２０へ進み、否定判定であれば次のステップＳＴ４へ進む。
【０１２０】
次に、ステップＳＴ３で肯定判定であれば、表示推移検出部３１から表示推移信号Ｐ６ｆが論理“１”で出力されるので、表示書換信号Ｐ４に同期して駆動パルス発生部４１の前置反転パルス発生部３３から前置反転パルスＰ９ｂが出力される。これによって、駆動電圧出力部４６から負電圧−Ｖに電圧変換された前置反転パルスＰ９ｂが出力されて表示パネルに印加される（ステップＳＴ２０）。
【０１２１】
次に、表示推移検出部３１から表示推移信号Ｐ６ｂが論理“１”で出力されるので、駆動パルス発生部４１の上書きパルス発生部４２から上書きパルスＰ７ｂが出力される。これによって、駆動電圧出力部４６から正電圧＋Ｖ（黒）に電圧変換された上書きパルスＰ７ｂが出力されて表示パネルに印加される（ステップＳＴ２１）。
【０１２２】
次に、上書きパルス発生部４２から上書き計数信号Ｐ１０が出力され、上書きパルス計数部４５は、上書き計数信号Ｐ１０を入力して上書き計数データＰ１２を一つ加算する（ステップＳＴ２２）。その後、セグメントドライバ４０は表示期間Ｔ３に移行する。
【０１２３】
次に、ステップＳＴ３で否定判定であれば、セグメントドライバ４０の表示推移検出部３１は、現表示データＰ５ａ＝“０”であり次表示データＰ５ｂ＝“１”であるか（すなわち表示データの推移が白→黒）を判定する（ステップＳＴ４）。ここで、肯定判定であればステップＳＴ５へ進み、否定判定であればステップＳＴ３０へ進む。
【０１２４】
次に、ステップＳＴ４で肯定判定であれば、表示推移検出部３１から表示推移信号Ｐ６ｆが論理“１”で出力されるので、表示書換信号Ｐ４に同期して駆動パルス発生部４１の前置反転パルス発生部３３から前置反転パルスＰ９ｂが出力される。これによって、駆動電圧出力部４６から負電圧−Ｖに電圧変換された前置反転パルスＰ９ｂが出力されて表示パネルに印加される（ステップＳＴ５）。
【０１２５】
次に、表示推移検出部３１から表示推移信号Ｐ６ｃが論理“１”で出力されるので、駆動パルス発生部４１の表示反転パルス発生部４３から表示反転パルスＰ８ａが出力される。これによって、駆動電圧出力部４６から正電圧＋Ｖ（黒）に電圧変換された表示反転パルスＰ８ａが出力されて表示パネルに印加される（ステップＳＴ６）。
【０１２６】
次に、表示反転パルス発生部４３からの表示反転パルスＰ８ａの終了時に表示反転終了信号Ｐ１１が出力されると、駆動パルス発生部４１の補正パルス発生部４４は上書きパルス計数部４５からの上書き計数データＰ１２に基づいた補正パルスのパルス幅を算出する（ステップＳＴ７）。ここで、補正パルスのパルス幅の算出は、表示データの推移が白→白のときに出力されていた上書きパルスＰ７ａのパルス幅と前置反転パルスＰ９ａのパルス幅の差に上書き計数データＰ１２の計数値（すなわち出力された上書きパルスの数）を乗じた値とする。
【０１２７】
例えば、上書きパルスＰ７ａのパルス幅が２０ｍＳであり、前置反転パルスＰ９ａのパ
ルス幅が５ｍｓであり、上書き計数データＰ１２がカウント５であったとするならば、補正パルスのパルス幅は（２０ｍＳ―５ｍＳ）×５＝７５ｍＳとなる。
【０１２８】
尚、前置反転パルスが出力されない場合の補正パルスのパルス幅の算出は、例えば、表示データの推移が白→白のときに出力されていた上書きパルスＰ７ａのパルス幅に上書き計数データＰ１２の計数値を乗じた値とする。
【０１２９】
次に、補正パルス発生部４４から、算出されたパルス幅に基づいた補正パルスＰ１３ａが出力される。これによって、駆動電圧出力部４６から上書きパルスＰ７ａと反対極性の正電圧＋Ｖ（黒）に電圧変換された補正パルスＰ１３ａが出力されて表示パネルに印加される（ステップＳＴ８）。その後、セグメントドライバ４０は表示期間Ｔ３に移行する。
【０１３０】
次に、ステップＳＴ４で否定判定であれば表示データの推移が黒→白に推移したと判定し、表示推移検出部３１から表示推移信号Ｐ６ｅが論理“１”で出力されるので、駆動パルス発生部４１の前置反転パルス発生部３３から前置反転パルスＰ９ａが出力される。これによって、駆動電圧出力部４６から正電圧＋Ｖに電圧変換された前置反転パルスＰ９ａが出力されて表示パネルに印加される（ステップＳＴ３０）。
【０１３１】
次に、表示推移検出部３１から表示推移信号Ｐ６ｄが論理“１”で出力されるので、駆動パルス発生部４１の表示反転パルス発生部４３から表示反転パルスＰ８ｂが出力される。これによって、駆動電圧出力部４６から負電圧−Ｖ（白）に電圧変換された表示反転パルスＰ８ｂが出力されて表示パネルに印加される（ステップＳＴ３１）。
【０１３２】
次に、表示反転パルス発生部４３からの表示反転パルスＰ８ｂの終了時に表示反転終了信号Ｐ１１が出力されると、駆動パルス発生部４１の補正パルス発生部４４は上書きパルス計数部４５からの上書き計数データＰ１２に基づいた補正パルスのパルス幅を算出する（ステップＳＴ３２）。ここで、補正パルスのパルス幅の算出法は、ステップＳＴ７と同様であるので省略する。
【０１３３】
次に、補正パルス発生部４４から、算出されたパルス幅に基づいた補正パルスＰ１３ｂが出力される。これによって、駆動電圧出力部４６から上書きパルスＰ７ｂと反対極性の負電圧−Ｖ（白）に電圧変換された補正パルスＰ１３ｂが出力されて表示パネルに印加される（ステップＳＴ３３）。その後、セグメントドライバ４０は表示期間Ｔ３に移行する。尚、表示期間Ｔ３は表示パネルの全てのセグメントが電圧無印加状態（すなわち０ｖ）であり、この表示期間Ｔ３は表示書換信号Ｐ４が来て次の表示が書き換えられるまで継続される。
【０１３４】
次に図９のタイミングチャートに基づいて、実施例３の表示装置の動作の具体例を説明する。ここで、図９のＳＥＧＶ３１〜ＳＥＧＶ３４の駆動電圧は、前述した実施例２の図５駆動電圧ＳＥＧＶ２１〜ＳＥＧＶ２４と基本的には同じであるが、特定の条件で補正パルスが追加される。
【０１３５】
ここで、駆動電圧ＳＥＧＶ３１は表示データが変化せず、表示データの推移が白→白である場合の駆動電圧であり、表示書換信号Ｐ４（図示せず）に同期して正電圧＋Ｖの前置反転パルスＰ９ａが前置反転期間Ｔ０に出力され、続いて負電圧−Ｖの上書きパルスＰ７ａが上書き期間Ｔ１に出力され、他の表示反転期間Ｔ２と表示期間Ｔ３は０ｖが印加される。
【０１３６】
また、駆動電圧ＳＥＧＶ３２は表示データが変化せず、表示データの推移が黒→黒である場合の駆動電圧であり、表示書換信号Ｐ４に同期して負電圧−Ｖの前置反転パルスＰ９
ｂが前置反転期間Ｔ０に出力され、続いて正電圧＋Ｖの上書きパルスＰ７ｂが上書き期間Ｔ１に出力され、他の表示反転期間Ｔ２と表示期間Ｔ３は０ｖが印加される。
【０１３７】
次に、駆動電圧ＳＥＧＶ３３は表示データが変化して、表示データの推移が白→黒である場合の駆動電圧であり、表示書換信号Ｐ４に同期して負電圧−Ｖの前置反転パルスＰ９ｂが前置反転期間Ｔ０に出力され、続いて正電圧＋Ｖの反転表示パルスＰ８ａが上書き期間Ｔ１を含めて反転表示期間Ｔ２に出力され、更に正電圧＋Ｖの補正パルスＰ１３ａが算出されたパルス幅で継続して出力される。
【０１３８】
ここで、補正パルスＰ１３ａは、駆動電圧ＳＥＧＶ３１で示した表示データの推移が白→白である場合に出力された負電圧−Ｖの上書きパルスＰ７ａと反対極性のパルスである。そして、この補正パルスＰ１３ａのパルス幅は、前述した如く、上書きパルスＰ７ａのパルス幅と前置反転パルスＰ９ａのパルス幅の差に上書き計数データＰ１２の計数値（Ｎ）を乗じた値である。すなわち、補正パルスＰ１３ａのパルス幅＝（Ｔ１−Ｔ０）×Ｎとなり、且つ、上書きパルスＰ７ａと補正パルスＰ１３ａの極性は反対極性であるので、補正パルスＰ１３ａによって、上書きパルスＰ７ａで生じる直流電圧の積算を正確にキャンセルして交流化駆動することが出来る。
【０１３９】
また、駆動電圧ＳＥＧＶ３４は、表示データが変化して、表示データの推移が黒→白である場合の駆動電圧であり、表示書換信号Ｐ４に同期して正電圧＋Ｖの前置反転パルスＰ９ａが前置反転期間Ｔ０に出力され、続いて負電圧−Ｖの反転表示パルスＰ８ｂが上書き期間Ｔ１を含めて反転表示期間Ｔ２に出力され、更に負電圧−Ｖの補正パルスＰ１３ｂが算出されたパルス幅で継続して出力される。
【０１４０】
ここで、補正パルスＰ１３ｂは、駆動電圧ＳＥＧＶ３２で示した表示データの推移が黒→黒である場合に出力された正電圧＋Ｖの上書きパルスＰ７ｂと反対極性のパルスである。そして、この補正パルスＰ１３ｂのパルス幅は、前述した如く、上書きパルスＰ７ｂのパルス幅と前置反転パルスＰ９ｂのパルス幅の差に上書き計数データＰ１２の計数値（Ｎ）を乗じた値である。すなわち、補正パルスＰ１３ｂのパルス幅＝（Ｔ１−Ｔ０）×Ｎとなり、且つ、上書きパルスＰ７ｂと補正パルスＰ１３ｂの極性は反対極性であるので、補正パルスＰ１３ｂによって、上書きパルスＰ７ｂで生じる直流電圧の積算を正確にキャンセルして交流化駆動することが出来る。
【０１４１】
尚、図９において上書き計数信号Ｐ１０は、上書きパルスＰ７ａ、又はＰ７ｂが出力されたときに、ほぼ同時に出力されることを示している。また、表示反転終了信号Ｐ１１は、表示反転期間Ｔ２の終了に合わせて出力され、この表示反転終了信号Ｐ１１によって矢印Ｂ、Ｃで示すように補正パルスＰ１３ａ、Ｐ１３ｂの出力が開始される。これにより、正電圧＋Ｖの表示反転パルスＰ８ａと補正パルスＰ１３ａは継続して出力され、また、負電圧−Ｖの表示反転パルスＰ８ｂと補正パルスＰ１３ｂも継続して出力される。すなわち、補正パルスＰ１３ａ、Ｐ１３ｂは、表示データが変化せず、上書きパルスＰ７ａ、Ｐ７ｂが１回以上出力されたとき、その後の表示反転パルスＰ８ａ、Ｐ８ｂに付加されて出力される。
【０１４２】
尚、表示内容の書き換えが表示書換信号Ｐ４の来る毎に行われる場合は、当然であるが上書きパルスＰ７ａ、Ｐ７ｂは出力されない。そして、上書きパルスＰ７ａ、Ｐ７ｂが出力されなければ、上書き計数データＰ１２の計数値はカウント０であるので、補正パルスは出力されない。また、実施例３においては、前置反転パルスＰ９ａ、Ｐ９ｂを出力しているが、これに限定されず、前置反転パルスＰ９ａ、Ｐ９ｂを出力せずに、補正パルスＰ１３ａ、Ｐ１３ｂだけで交流化駆動しても良い。
【０１４３】
以上のように本発明の実施例３によれば、上書きパルスによる直流電圧の印加を補正パルスによって直流分を正確にキャンセルし交流化駆動することが出来るので、表示パネルの劣化を低減して信頼性に優れた表示装置を実現することが出来る。
【０１４４】
尚、本発明の表示装置の表示パネルは、帯電粒子が電気泳動により移動する電気泳動型表示パネルとして説明したが、本発明の表示装置は、この方式に限定されるものではなく、透明な分散媒の代わりに空気を用いたトナー型や電子粉流体型の表示パネルを用いても本発明を適用することが出来る。
【０１４５】
また、本発明の表示装置は、セブンセグメントキャラクタを表示する表示パネルとして説明したが、本発明の表示装置は、この形態に限定されるものではなく、共通電極に対向してドットマトリックス状の画素電極を設けて、任意の文字や図形等を表示できるようにしたものや、予め種々の形状のパターン電極を形成しておき、それらを適宜組み合わせて表示するものなど、画素となる電極の形状や配置、大きさなどは何等限定されない。
【０１４６】
また、実施例において、本発明による表示装置で表示する表示データ及びその表示状態を、白と黒として説明したが、これは一般的な無彩色の白と黒に限らず、同系色あるいは異なる色相の明るい色と暗い色（ツートンカラー）、あるいは補色関係にある２色など、明確に区別ができて表示を行なうことができる２つの色であればよい。その場合の表示パネルとしては、例えば図１１に示したマイクロカプセル６０内に、その２つの色のそれぞれ正と負に帯電された帯電粒子を封入したものを使用すればよい。
【０１４７】
また、本発明の実施例における駆動手段としてのセグメントドライバは、ロジック回路によるカスタムＩＣで実現しても良く、または、汎用マイクロコンピュータにファームウエアを組み込んで実現しても良く、その形態は限定されない。また、本発明の実施例で示したブロック図やフローチャート等は、これに限定されるものではなく、本発明の要旨を満たすものであれば、任意に変更することが出来る。
【図面の簡単な説明】
【０１４８】
【図１】本発明の実施例１の表示装置の概略構成を示すブロック図である。
【図２】本発明の実施例１の動作例を説明するタイミングチャートである。
【図３】本発明の実施例１の効果を説明する光反射率のグラフである。
【図４】本発明の実施例２の表示装置のセグメントドライバの構成を示すブロック図である。
【図５】本発明の実施例２の動作例を説明するタイミングチャートである。
【図６】本発明の実施例２の他の動作例を説明するタイミングチャートである。
【図７】本発明の実施例３の表示装置のセグメントドライバの構成を示すブロック図である。
【図８】本発明の実施例３の動作フローを説明するフローチャートである。
【図９】本発明の実施例３の動作例を説明するタイミングチャートである。
【図１０】本発明の表示パネルを説明する断面図である。
【図１１】本発明の表示パネルの動作原理を説明する拡大断面図である。
【図１２】本発明の表示パネルの数字キャラクタを表示する一例を示す平面図である。
【図１３】本発明の表示パネルに数字「２」を表示した状態から数字「３」を表示する状態へ変化させる場合の説明図である。
【図１４】従来の電気泳動型表示パネルの白表示及び黒表示における光反射率の変化の一例を示すグラフである。
【符号の説明】
【０１４９】
１  表示装置
２  駆動ＩＣ
３  入力回路
１０ａ〜１０ｈ、３０、４０  セグメントドライバ
１１  シフトレジスタ
１２、３１  表示推移検出部
１５、３４、４６  駆動電圧出力部
２０、３２、４１  駆動パルス発生部
２１、４２  上書きパルス発生部
２２、４３  表示反転パルス発生部
３３  前置反転パルス発生部
４４  補正パルス発生部
４５  上書きパルス計数部
５０  表示パネル
５１  樹脂基板
５３  マイクロカプセル表面層
５４  接着剤層
５５  フレキシブルプリント基板（ＦＰＣ）
６０  マイクロカプセル
６１  カプセル殻
６２  分散媒
６３  帯電粒子
６３ａ  白色粒子
６３ｂ  黒色粒子
ＣＯＭ  共通電極
ＳＥＧ  セグメント電極
ＳＥＧＶ、ＣＯＭＶ  駆動電圧
Ｐ１  入力信号
Ｐ２、Ｐ２ａ〜Ｐ２ｈ  表示データ
Ｐ３  クロック信号
Ｐ４  表示書換信号
Ｐ５ａ  現表示データ
Ｐ５ｂ  次表示データ
Ｐ６ａ〜Ｐ６ｆ  表示推移信号
Ｐ７ａ、Ｐ７ｂ  上書きパルス
Ｐ８ａ、Ｐ８ｂ  表示反転パルス
Ｐ９ａ、Ｐ９ｂ  前置反転パルス
Ｐ１０  上書き計数信号
Ｐ１１  表示反転終了信号
Ｐ１２  上書き計数データ
Ｐ１３ａ、Ｐ１３ｂ  補正パルス
【図１】
0005207686.tif 000002
【図２】
0005207686.tif 000003
【図３】
0005207686.tif 000004
【図４】
0005207686.tif 000005
【図５】
0005207686.tif 000006
【図６】
0005207686.tif 000007
【図７】
0005207686.tif 000008
【図８】
0005207686.tif 000009
【図９】
0005207686.tif 000010
【図１０】
0005207686.tif 000011
【図１１】
0005207686.tif 000012
【図１２】
0005207686.tif 000013
【図１３】
0005207686.tif 000014
【図１４】
0005207686.tif 000015